(57)【要約】【課題】表示装置の画質を改善し、さらに液晶キャパシタの充電時間を補償する。【解決手段】本発明の表示装置は、複数の画素、ゲート駆動部、データ駆動部及び信号制御部を含む。ゲート駆動部は、画素にゲート信号を印加する。データ駆動部は、画素にデータ信号を印加する。信号制御部は、ゲート駆動部及びデータ駆動部を制御する複数の制御信号をゲート駆動部及びデータ駆動部に出力する。複数の画素のうち、少なくとも一つの画素に印加されるデータ信号の電圧の極性は少なくとも２フレーム毎に反転される。これにより、表示装置の駆動周波数を６０Ｈｚから１２０Ｈｚへ増加させた場合であっても画素に含まれる液晶キャパシタは充電する期間が２フレームとなるため、データ電圧は目標の電圧に到達できる。従って、液晶の充電時間の不足による画質低下が低減され、さらにフリッカーなどの現象が減少する。【選択図】図５
2006171742.tif 000002
【特許請求の範囲】
【請求項１】
複数の画素と、
前記画素にゲート信号を印加するゲート駆動部と、
前記画素にデータ信号を印加するデータ駆動部と、
前記ゲート駆動部及びデータ駆動部を制御する複数の制御信号を前記ゲート駆動部及びデータ駆動部に出力する信号制御部と、を含み、
前記複数の画素のうち、少なくとも一つの画素に印加されるデータ信号の電圧の極性が少なくとも２フレーム毎に反転されることを特徴とする表示装置。
【請求項２】
前記表示装置は１２０Ｈｚのフレーム周波数を有することを特徴とする、請求項１に記載の表示装置。
【請求項３】
前記ゲート信号は、ゲートオフ電圧と、第１ゲートオン電圧と、第２ゲートオン電圧と、を含み、
前記ゲート駆動部は、前記少なくとも一つの画素に印加されるデータ信号の極性が直前フレームの極性と反転するフレーム内では、前記第１ゲートオン電圧を出力してから所定時間を経て前記第２ゲートオン電圧を出力することを特徴とする、請求項２に記載の表示装置
【請求項４】
前記表示装置は１×１ドット反転であることを特徴とする請求項３に記載の表示装置。
【請求項５】
前記所定時間は、水平同期信号の２周期であることを特徴とする請求項４に記載の表示装置。
【請求項６】
前記表示装置は２×１ドット反転であることを特徴とする請求項３に記載の表示装置。
【請求項７】
前記所定時間は、水平同期信号の４周期であることを特徴とする請求項６に記載の表示装置。
【請求項８】
前記複数の制御信号は、前記データ駆動部に印加され前記データ信号の極性を反転させる反転信号を含み、
前記データ駆動部は、前記反転信号に基づいて、前記データ信号における電圧の極性を反転させることを特徴とする、請求項３に記載の表示装置。
【請求項９】
前記複数の制御信号は、前記ゲート駆動部に印加される垂直同期開始信号を含み、
前記垂直同期開始信号は、前記第１ゲートオン電圧を出力するタイミングを指示する第１パルスと、前記第２ゲートオン電圧を出力するタイミングを指示する第２パルスとを含むことを特徴とする、請求項３に記載の表示装置。
【請求項１０】
前記第１ゲートオン電圧は、前記画素に含まれる液晶キャパシタに印加される予備充電ゲートオン電圧であり、前記第２ゲートオン電圧は、前記第１ゲートオン電圧を印加した後に前記液晶キャパシタに印加される本充電ゲートオン電圧であることを特徴とする、請求項３に記載の表示装置。
【請求項１１】
各ゲート信号内に複数の前記予備充電ゲートオン電圧をさらに含むことを特徴とする、請求項１０に記載の表示装置。
【請求項１２】
前記表示装置は液晶表示装置であることを特徴とする、請求項１乃至請求項９のいずれかに記載の表示装置。
【請求項１３】
前記データ信号の電圧の極性は、偶数番目のフレーム毎に反対であり、奇数番目のフレーム毎に反対であることを特徴とする、請求項１に記載の表示装置。
【請求項１４】
前記少なくとも一つの画素に印加されるデータ信号の電圧の極性は、ｎ個（ｎ≧２、整数）の連続するフレームでは同一であり、ｍ個（ｍ≧２、整数）の連続するフレームでは反転しており、前記ｎ個の連続するフレーム及びｍ個の連続するフレームは交互に繰り返されていることを特徴とする、請求項１に記載の表示装置。
【請求項１５】
前記ｎはｍと同一の値であることを特徴とする、請求項１４に記載の表示装置。
【請求項１６】
第１ゲート線及び第２ゲート線を含む複数のゲート線及び複数のデータ線に接続された複数の画素を有する表示装置を駆動する方法であって、
データ信号を前記データ線に印加する段階と、
連続する２つのフレームにおいて前記データ信号の極性が互いに逆である場合、前記第１ゲート線にゲート信号の第１ゲートオン電圧及び第２ゲートオン電圧をそれぞれ印加し、前記第１ゲート線に接続された画素に前記データ信号を印加する段階と、
連続する２つのフレームにおいて、１フレームに対するデータ信号の極性が直前フレームと同一である場合、前記第１ゲート線に前記第２ゲートオン電圧を印加し、前記第１ゲート線に接続された画素に前記データ信号を印加する段階と、
を含むことを特徴とする、表示装置の駆動方法。
【請求項１７】
前記表示装置は、前記データ信号を前記画素のＮ行（Ｎ≧１、整数）毎に反転させるＮ行反転を行う装置であって、
前記第１ゲートオン電圧を印加してから水平同期信号の２×Ｎ周期の時間経過後に、前記第２ゲートオン電圧を印加することを特徴とする、請求項１６に記載の表示装置の駆動方法。
【請求項１８】
隣接したデータ線に、互いに逆の極性を有するデータ信号を印加する段階を更に含む、請求項１７に記載の表示装置の駆動方法。
【請求項１９】
前記表示装置は１×１ドット反転であることを特徴とする、請求項１８に記載の表示装置の駆動方法。
【請求項２０】
前記表示装置は２×１ドット反転であることを特徴とする、請求項１８に記載の表示装置の駆動方法。
【請求項２１】
前記表示装置は１２０Ｈｚのフレーム周波数を有することを特徴とする、請求項１６に記載の表示装置の駆動方法。
【請求項２２】
２つの連続するフレームのデータ信号の極性が互いに異なる場合、前記第２ゲート線に第１ゲートオン電圧及び第２ゲートオン電圧を印加する段階と、
前記複数のゲート線に含まれる第３ゲート線に、前記第１ゲート線に第２ゲートオン電圧を印加するタイミングで、前記第１ゲート線に印加する第２ゲートオン電圧と同一の値を有する第１ゲートオン電圧及び第２ゲートオン電圧を印加する段階と、を更に含むことを特徴とする請求項１６に記載の表示装置の駆動方法。
【請求項２３】
２つの連続するフレームのデータ信号の極性が互いに異なる場合は、前記複数のゲート線に含まれる第４ゲート線に、前記第１ゲート線に第２ゲートオン電圧を印加するタイミングで、前記第１ゲート線に印加する第２ゲートオン電圧と同一の値を有する第１ゲートオン電圧及び第２ゲートオン電圧を印加する段階を更に含む、ことを特徴とする、請求項１６に記載の表示装置の駆動方法。
【請求項２４】
少なくとも１つの画素を含み、
少なくとも２つのフレームが連続するフレーム群内では、各クレームで前記画素に印加されるデータ信号の極性は同一であって、少なくとも２つの前記フレーム群が連続する場合、各フレーム群で前記画素に印加されるデータ信号の極性はその直前のフレーム群におけるデータ電圧の極性と逆であることを特徴とする表示装置。
【請求項２５】
ｍ番目（ｍ≧１，整数）のフレームにおいて前記少なくとも１つの画素に印加されるデータ信号の極性が、ｍ−１番目のフレームで印加されたデータ信号の極性と逆である場合、ｍ番目のフレームにおいて前記表示装置の複数のゲート線のうち第１ゲート線に印加されるゲート信号は、前記画素に含まれる液晶キャパシタに印加される予備充電ゲートオン電圧及び本充電ゲートオン電圧を含むことを特徴とする、請求項２４に記載の表示装置。
【請求項２６】
ｎ番目（ｎ≧１，整数）のフレームにおいて、前記少なくとも１つの画素に印加されるデータ信号の極性がｎ―１番目のフレームで印加されたデータ信号の極性と同一である場合、ｎ番目のフレームにおいて前記第１のゲート線に印加されるゲート信号は、前記本充電ゲートオン電圧のみを含むことを特徴とする、請求項２５に記載の表示装置。
【請求項２７】
ｍ番目のフレームにおいて、前記第１ゲート線に印加されるゲート信号は、複数の予備充電ゲートオン電圧を含むことを特徴とする、請求項２５に記載の表示装置。
【請求項２８】
前記本充電ゲートオン電圧は、前記予備充電ゲートオン電圧が印加されてから水平同期信号が有する所定の水平周期経過後印加されることを特徴とする、請求項２５に記載の表示装置。
【発明の詳細な説明】
【技術分野】
【０００１】
本発明は、表示装置及びその駆動方法に関する。
【背景技術】
【０００２】
一般的な液晶表示装置（ＬＣＤ）は、画素電極及び共通電極が具備された二つの表示板と、その間に介在している誘電率異方性を有する液晶層とを含む。画素電極は、行列状に配列されており、薄膜トランジスタ（ＴＦＴ）などのスイッチング素子に接続されて、１行ずつ順次にデータ電圧の印加を受ける。共通電極は、表示板の全面にかけて形成されており、共通電圧の印加を受ける。画素電極、共通電極及びその間の液晶層は、回路的には液晶キャパシタをなしている。液晶キャパシタは、この液晶キャパシタに接続されたスイッチング素子と共に画素を構成している。
【０００３】
上述したような液晶表示装置は、通常は約６０Ｈｚのフレーム周波数を有し、画素電極及び共通電極にデータ電圧及び共通電圧をそれぞれ印加して液晶層に電界を生成する。そして、液晶表示装置は、この電界の強度を調節して液晶層を通過する光の透過率を調節することにより、所望の画像を得る。この時、液晶層に一方向の電界が長く印加されると発生する劣化及びフリッカー現象などを防ぐために、フレーム毎、行毎、または画素毎に、共通電圧に対するデータ電圧の極性を反転させる。
【発明の開示】
【発明が解決しようとする課題】
【０００４】
ところが、データ電圧の極性を反転させる場合、液晶分子の応答速度が遅いため、液晶キャパシタが目標電圧に充電されるまでの時間が長くかかり、画面がぼやけてしまう現象が発生する。この問題を解決するために、短時間の間にブラック画面を挿入するインパルス駆動方式が開発された。
インパルス駆動方式には、一定の周期でバックライトランプを消灯し画面全体をブラック状態にする方法と、実質的に表示に係わる正常データ電圧の他に一定の周期でブラックデータ電圧を画素に印加する方法とがある。
【０００５】
しかし、このような方法においても、液晶の応答速度は依然として遅く、更にバックライトランプの反応速度も遅いため、画面の残像やフリッカーなどが生じ、画質が低下してしまう。更に、画面中間にブラック画面を挿入する場合、液晶表示装置全体の輝度が低下してしまう。特に、ブラックデータ電圧を印加する方式の場合、正常データ電圧の印加時間が減少し、液晶キャパシタが目標電圧に到達できない問題がある。
【０００６】
そこで、本発明は、表示装置の画質を改善することを目的とする。特に、本発明は、液晶キャパシタの充電時間を補償することを目的とする。
【課題を解決するための手段】
【０００７】
前記課題を解決するために、発明１は、複数の画素と、ゲート駆動部と、データ駆動部と、信号制御部とを含む表示装置を提供する。データ駆動部は、画素にゲート信号を印加する。データ駆動部は、前記画素にデータ信号を印加する。信号制御部は、前記ゲート駆動部及び前記データ駆動部を制御する複数の制御信号を前記ゲート駆動部及び前記データ駆動部に出力する。そして、表示装置は、前記複数画素のうち、少なくとも一つの画素に印加されるデータ信号の電圧の極性が少なくとも２フレーム毎に反転される。
【０００８】
この表示装置によると、連続する２フレームの間に同一極性のデータ電圧が印加される場合では、直前フレームと反対極性を有するフレームでは液晶の充電時間が減少するが、その次のフレームでは同一極性のデータ電圧が印加される。そのため、データ電圧が目標電圧に到達するまでの時間が減り、減少した液晶キャパシタの充電時間を補償することができる。従って、不足した充電時間による画質悪化が低減される。
【０００９】
発明２は、前記発明１において、１２０Ｈｚのフレーム周波数を有する表示装置を提供する。
約１２０Ｈｚのフレーム周波数を有する場合の液晶の充電時間は、約６０Ｈｚのフレーム周波数の場合の半分に減る。そこで、２フレーム期間の間は同一極性のデータ電圧を印加することにより、約１２０Ｈｚのフレーム周波数のように高い周波数であっても、液晶キャパシタは充電する期間が２フレームとなるため、データ電圧は目標の電圧に到達できる。即ち、減少した液晶キャパシタの充電時間が補償される。従って、液晶の充電時間の不足による画質低下が低減され、さらにフリッカーなどの現象が減少する。
【００１０】
発明３は、前記発明２において、前記ゲート信号は、ゲートオフ電圧と第１ゲートオン電圧と第２ゲートオン電圧とを含み、前記ゲート駆動部は、前記少なくとも一つの画素に印加されるデータ信号の極性が直前フレームの極性と反転するフレーム内では、前記第１ゲートオン電圧を出力してから所定時間を経て前記第２ゲートオン電圧を出力する表示装置を提供する。
【００１１】
発明４は、前記発明３において、１×１ドット反転である表示装置を提供する。
発明５は、前記発明４において、所定時間が水平同期信号の２周期（２Ｈ）である表示装置を提供する。
発明６は、前記発明３において、２×１ドット反転である表示装置を提供する。
発明７は、前記発明６において、所定時間が水平同期信号の４周期（４Ｈ）である表示装置を提供する。
【００１２】
発明８は、前記発明３において、前記複数の制御信号は、前記データ駆動部に印加され前記データ信号の極性を反転させる反転信号を含み、前記データ駆動部は、前記反転信号に基づいて、前記データ信号における電圧の極性を反転させる表示装置を提供する。
発明９は、前記発明３において、前記複数の制御信号は、前記ゲート駆動部に印加される垂直同期開始信号を含み、前記垂直同期開始信号は、前記第１ゲートオン電圧を出力するタイミングを指示する第１パルスと、前記第２ゲートオン電圧を出力するタイミングを指示する第２パルスとを含む表示装置を提供する。
【００１３】
発明１０は、前記発明３において、前記第１ゲートオン電圧は、前記画素に含まれる液晶キャパシタに印加される予備充電ゲートオン電圧であり、前記第２ゲートオン電圧は、前記第１ゲートオン電圧を印加した後に前記液晶キャパシタに印加される本充電ゲートオン電圧である表示装置を提供する。
発明１１は、前記発明１０において、各ゲート信号内に複数の予備充電ゲートオン電圧をさらに含む表示装置を提供する。
【００１４】
発明１２は、前記発明１〜９のいずれかにおいて、液晶表示装置である液晶表示装置を提供する。
発明１３は、前記発明1において、前記データ信号の電圧の極性は、偶数番目のフレーム毎に反対であり、奇数番目のフレーム毎に反対である表示装置を提供する。
発明１４は、前記発明１において、前記少なくとも一つの画素に印加されるデータ信号の電圧の極性は、ｎ個（ｎ≧２、整数）の連続するフレームでは同一であり、ｍ個（ｍ≧２、整数）の連続するフレームでは反転しており、前記ｎ個の連続するフレーム及びｍ個の連続するフレームは交互に繰り返されている表示装置を提供する。
【００１５】
発明１５は、前記発明１４において、前記ｎがｍと同一の値である表示装置を提供する。
また、前記課題を解決するために、発明１６は、第１ゲート線及び第２ゲート線を含む複数のゲート線と複数のデータ線に接続された複数の画素を有する表示装置を駆動する方法を提供する。この表示装置の駆動方法は、以下の段階を含む。
◎データ信号を前記データ線に印加する段階
◎連続する２つのフレームにおいて前記データ信号の極性が互いに逆である場合、前記第１ゲート線にゲート信号の第１ゲートオン電圧及び第２ゲートオン電圧をそれぞれ印加し、前記第１ゲート線に接続された画素に前記データ信号を印加する段階
◎連続する２つのフレームにおいて、１フレームに対するデータ信号の極性が直前フレームと同一である場合、前記第１ゲート線に前記第２ゲートオン電圧を印加し、前記第１ゲート線に接続された画素に前記データ信号を印加する段階。
【００１６】
この方法によると、印加されるデータ電圧の極性が反転することにより液晶キャパシタが目標電圧に至るまでの時間が遅延されることを補償する。従って、充電時間の不足による画質悪化が低減される。また、フレーム周波数を約１２０Ｈｚに増加させて表示装置を駆動しても、不足した液晶の充電時間による画質低下が低減され、さらにフリッカーなどの現象が減少する。
【００１７】
発明１７は、前記発明１６における表示装置は、前記データ信号を前記画素のＮ行（Ｎ≧１、整数）毎に反転させるＮ行反転を行う装置であって、前記第１ゲートオン電圧を印加してから水平同期信号の２×Ｎ周期の時間経過後に、前記第２ゲートオン電圧を印加する表示装置の駆動方法を提供する。
発明１８は、前記発明１７において、隣接したデータ線に、互いに逆の極性を有するデータ信号を印加する段階を更に含む表示装置の駆動方法を提供する。
【００１８】
発明１９は、前記発明１８において、前記表示装置は１×１ドット反転である表示装置の駆動方法を提供する。
発明２０は、前記発明１８において、前記表示装置は２×１ドット反転である表示装置の駆動方法を提供する。
発明２１は、前記発明１６において、前記表示装置は１２０Ｈｚのフレーム周波数を有する表示装置の駆動方法を提供する。
【００１９】
発明２２は、前記発明１６において、更に以下の段階を含む表示装置の駆動方法を提供する。
◎２つの連続するフレームのデータ信号の極性が互いに異なる場合、前記第２ゲート線に第１ゲートオン電圧及び第２ゲートオン電圧を印加する段階
◎前記複数のゲート線に含まれる第３ゲート線に、前記第１ゲート線に第２ゲートオン電圧を印加するタイミングで、前記第１ゲート線に印加する第２ゲートオン電圧と同一の値を有する第１ゲートオン電圧及び第２ゲートオン電圧を印加する段階。
【００２０】
このような充電、即ち予備的な充電を行うことで、印加されるデータ電圧の極性が反転することにより液晶キャパシタが目標電圧に至るまでの時間が遅延されることを補償する。
発明２３は、前記発明１６において、２つの連続するフレームのデータ信号の極性が互いに異なる場合は、前記複数のゲート線に含まれる第４ゲート線に、前記第１ゲート線に第２ゲートオン電圧を印加するタイミングで、前記第１ゲート線に印加する第２ゲートオン電圧と同一の値を有する第１ゲートオン電圧及び第２ゲートオン電圧を印加する段階をさらに含む表示装置の駆動方法を提供する。
【００２１】
このような充電、即ち予備的な充電を行うことで、印加されるデータ電圧の極性が反転することによって液晶キャパシタが目標電圧に至るまでの時間が遅延されることを補償することができる。
また、前記課題を解決するために、発明２４は、少なくとも一つの画素を含み、少なくとも２つのフレームが連続するフレーム群内では、各フレームで前記画素に印加されるデータ信号の極性は同一であって、少なくとも２つの前記フレーム群が連続する場合、各フレーム群で前記画素に印加されるデータ信号の極性はその直前にフレーム群におけるデータ電圧の極性と逆である表示装置を提供する。
【００２２】
これにより、フレーム周波数を約１２０Ｈｚに増加させて表示装置を駆動しても、不足した液晶の充電時間による画質低下が低減され、さらにフリッカーなどの現象が減少する。また、データ電圧の極性が直前フレームの極性と反転するフレームにおいて、該当画素に正常なデータ電圧が印加される前に予備充電を実施しており、不足した充電時間による画質悪化が低減される。
【００２３】
発明２５は、前記発明２４において、ｍ番目（ｍ≧１、整数）のフレームにおいて前記少なくとも１つの画素に印加されるデータ信号の極性が、ｍ−１番目のフレームで印加されたデータ信号の極性と逆である場合、ｍ番目のフレームにおいて前記表示装置の複数のゲート線のうち第１ゲート線に印加されるゲート信号は、前記画素に含まれる液晶キャパシタに印加される予備充電ゲートオン電圧及び本充電ゲートオン電圧を含む液晶表示装置を提供する。
【００２４】
発明２６は、前記発明２５において、ｎ番目（ｎ≧１、整数）のフレームにおいて、前記少なくとも１つの画素に印加されるデータ信号の極性が、ｎ―１番目のフレームで印加されたデータ信号の極性と同一である場合、ｎ番目のフレームにおいて前記第１のゲート線に印加されるゲート信号は、本充電ゲートオン電圧のみを含む表示装置を提供する。
発明２７は、前記発明２５において、ｍ番目のフレームにおいて、前記第１ゲート線に印加されるゲート信号は、複数の予備充電ゲートオン電圧を含む表示装置を提供する。
【００２５】
発明２８は、前記発明２５において、前記本充電ゲートオン電圧は、前記予備充電ゲートオン電圧が印加されてから水平同期信号が有する所定の水平周期経過後に印加される表示装置を提供する。
【発明の効果】
【００２６】
本発明によると、フレーム周波数を約１２０Ｈｚに増加させて表示装置を駆動しても、不足した液晶の充電時間による画質低下が低減され、さらにフリッカーなどの現象が減少する。また、データ電圧の極性が直前フレームの極性と反転するフレームにおいて、該当画素に正常なデータ電圧が印加される前に予備充電を実施しており、不足した充電時間による画質悪化が低減される。
【発明を実施するための最良の形態】
【００２７】
以下より、添付した図面を参照して、本発明の実施例に対して、本発明が属する技術分野における通常の知識を有する者が容易に実施することができるように詳細に説明する。しかし、本発明は、多様な形態で実現することができ、ここで説明する実施例に限定されない。
図面は、各種層及び領域を明確に表現するために、厚さを拡大して示している。明細書全体を通じて類似した部分については同一な図面符号を付けている。層、膜、領域、基板及び板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【００２８】
以下、本発明の表示装置に対する一実施例である液晶表示装置及びその駆動方法について、図面を参考にして詳細に説明する。
＜液晶表示装置の構造＞
図１は、本発明の一実施例による液晶表示装置のブロック図である。図２は、本発明の一実施例による液晶表示装置の一つの画素に対する等価回路図である。
【００２９】
図１に示すように、本発明の一実施例による液晶表示装置は、液晶表示板組立体３００と、液晶表示板組立体３００に接続されたゲート駆動部４００及びデータ駆動部５００と、データ駆動部５００に接続された階調電圧生成部８００と、これらを制御する信号制御部６００とを含む。
液晶表示板組立体３００は、等価回路的には、複数の表示信号線（Ｇ1-Ｇn、Ｄ1-Ｄm）と、これに連結しており行列状に配列された複数の画素と、を含む。構造的には、液晶表示板組立体３００は、下部表示板１００と、上部表示板２００と、その間の液晶層３とを含む。
【００３０】
表示信号線（Ｇ1-Ｇn、Ｄ1-Ｄm）は、ゲート信号（走査信号とも言う）を伝達する複数のゲート線（Ｇ1-Ｇn）と、データ信号を伝達するデータ線（Ｄ1-Ｄm）とを含む。ゲート線（Ｇ1-Ｇn）は互いにほぼ並行に行方向にのびており、データ線（Ｄ1-Ｄm）は互いにほぼ並行に列方向にのびている。
各画素は、表示信号線（Ｇ1-Ｇn、Ｄ1-Ｄm）に接続されたスイッチング素子（Ｑ）と、これに接続された液晶キャパシタ（ＣLC）及びストレージキャパシタ（ＣST）とを含む。ストレージキャパシタ（ＣST）は必要に応じて省略することができる。
【００３１】
薄膜トランジスタ等から形成されているスイッチング素子（Ｑ）は、下部表示板１００に備えられている。スイッチング素子（Ｑ）は三端子素子であって、制御端子、入力端子及び出力端子を有している。スイッチング素子（Ｑ）の制御端子及び入力端子は、それぞれゲート線（Ｇ1-Ｇn）及びデータ線（Ｄ1-Ｄm）に接続されており、出力端子は、液晶キャパシタ（ＣLC）及びストレージキャパシタ（ＣST）に接続されている。
【００３２】
液晶キャパシタ（ＣLC）は、下部表示板１００の画素電極１９０と上部表示板２００の共通電極２７０とを二つの端子とし、二つの電極１９０、２７０間の液晶層３は誘電体として機能する。画素電極１９０はスイッチング素子（Ｑ）に接続され、共通電極２７０は、上部表示板２００の全面に形成され共通電圧（Ｖｃｏｍ）の印加を受ける。また、図２とは異なって、共通電極２７０が下部表示板１００に配設されることもある。その際、二つの電極１９０、２７０のうちの少なくとも一つは線状または棒状に形成される。
【００３３】
液晶キャパシタ（ＣLC）の補助的な役割を担うストレージキャパシタ（ＣST）は、下部表示板１００に配設された別個の信号線（図示せず）と画素電極１９０とが絶縁体を介在して重畳して形成される。別個の信号線には、共通電圧（Ｖｃｏｍ）などの定められた電圧が印加される。また、ストレージキャパシタ（ＣST）は、画素電極１９０が絶縁体を媒介にして、すぐ上の前段ゲート線と重畳して形成されることもある。
【００３４】
一方、色表示を実現するためには、各画素が三原色のうちの一つを固有に表示したり（空間分割）、各画素が時間によって交互に三原色を表示して（時間分割）、これら三原色の空間的及び時間的な合成によって所望の色が認識されるようにする。図２は、空間分割の一例であって、各画素が画素電極１９０に対応する領域に赤色、緑色、または青色のカラーフィルタ２３０を備える様子を示している。図２とは異なって、カラーフィルタ２３０は、下部表示板１００の画素電極１９０の上または下に形成することもできる。
【００３５】
液晶表示板組立体３００の二つの表示板１００、２００のうちの少なくとも一つの外側面には、光を偏光する偏光子（図示せず）が付着されている。
階調電圧生成部８００は、画素の透過率に関連する二組の複数階調電圧を生成する。二組のうちの一組は共通電圧（Ｖｃｏｍ）に対してプラスの値を有し、もう一組はマイナスの値を有する。
【００３６】
ゲート駆動部４００は、液晶表示板組立体３００のゲート線（Ｇ1-Ｇn）に接続されており、ゲート駆動部４００外部からのゲートオン電圧（Ｖｏｎ）及びゲートオフ電圧（Ｖｏｆｆ）の組み合わせからなるゲート信号をゲート線（Ｇ1-Ｇn）に印加する。ゲート駆動部４００は、一つの集積回路で形成されていてもよい。
データ駆動部５００は、液晶表示板組立体３００のデータ線（Ｄ1-Ｄm）に接続され、階調電圧生成部８００が生成した階調電圧を選択してデータ信号として画素に印加する。データ駆動部５００は、複数の集積回路で形成されていてもよい。
【００３７】
複数のゲート駆動部４００の集積回路またはデータ駆動部５００の集積回路は、チップ形態でＴＣＰ（tape carrier package）（図示せず）に実装され、そのＴＣＰを液晶表示板組立体３００に取り付けることができる。また、ＴＣＰを用いずに、これらの集積回路をガラス基板上に直接取り付ける（ＣＯＧ実装方式）こともできる。また、これら集積回路チップと同じ機能をする回路を画素の薄膜トランジスタと共に液晶表示板組立体３００に直接配設することもできる。
【００３８】
信号制御部６００は、ゲート駆動部４００及びデータ駆動部５００などの動作を制御する。
＜液晶表示装置の表示動作＞
以下より、上述したような液晶表示装置の表示動作に対して詳細に説明する。
信号制御部６００は、外部のグラフィック制御機（図示せず）から入力映像信号（Ｒ、Ｇ、Ｂ）及びその表示を制御する入力制御信号を提供される。入力制御信号としては、例えば垂直同期信号（Ｖｓｙｎｃ）、水平同期信号（Ｈｓｙｎｃ）、メインクロック（ＭＣＬＫ）及びデータイネーブル信号（ＤＥ）等が挙げられる。信号制御部６００は、入力映像信号（Ｒ、Ｇ、Ｂ）及び入力制御信号に基づいて、映像信号（Ｒ、Ｇ、Ｂ）を液晶表示板組立体３００の動作条件に合わせて適切に処理し、ゲート制御信号（ＣＯＮＴ１）及びデータ制御信号（ＣＯＮＴ２）などを生成する。そして、信号制御部６００は、信号生成後、ゲート制御信号（ＣＯＮＴ１）をゲート駆動部４００に出力し、データ制御信号（ＣＯＮＴ２）及び処理した映像信号（ＤＡＴ）をデータ駆動部５００に出力する。
【００３９】
ゲート制御信号（ＣＯＮＴ１）は、ゲートオン電圧（Ｖｏｎ）の出力開始を指示する垂直同期開始信号（ＳＴＶ）及びゲートオン電圧（Ｖｏｎ）の出力タイミング及び出力電圧を制御する少なくとも一つのクロック信号などを含む。
データ制御信号（ＣＯＮＴ２）は、映像データ（ＤＡＴ）の伝送開始を指示する水平同期開始信号（ＳＴＨ）、データ線（Ｄ1-Ｄm）に当該データ電圧の印加を指示するロード信号（ＬＯＡＤ）、共通電圧（Ｖｃｏｍ）に対するデータ信号の電圧の極性（以下、共通電圧に対するデータ電圧の極性を略して“データ電圧の極性”と言う）を反転させる反転信号（ＲＶＳ）及びデータクロック信号（ＨＣＬＫ）などを含む。
【００４０】
データ駆動部５００は、信号制御部６００からのデータ制御信号（ＣＯＮＴ２）に基づいて一つの行の画素に対する映像データを順次に受信してシフトさせ、階調電圧生成部８００が生成した複数の階調電圧のうち、各映像データ（ＤＡＴ）に対応する階調電圧を選択する。これにより、データ駆動部５００は、映像データ（ＤＡＴ）を該当するデータ電圧に変換して該当するデータ線（Ｄ1-Ｄm）に印加する。
【００４１】
ゲート駆動部４００は、信号制御部６００からのゲート制御信号（ＣＯＮＴ１）に基づいてゲートオン電圧（Ｖｏｎ）をゲート線（Ｇ1-Ｇn）に印加して、該ゲート線（Ｇ1-Ｇn）に接続されたスイッチング素子（Ｑ）をオンさせる。これにより、データ線（Ｄ1-Ｄm）に印加されたデータ電圧は、オンしているスイッチング素子（Ｑ）を通じて該当する画素に印加される。
【００４２】
画素電極１９０に印加された電圧（以下、画素電極電圧と称する）と共通電圧（Ｖｃｏｍ）との差は、液晶キャパシタ（ＣLC）の充電電圧、つまり画素電圧として示される。液晶分子は、画素電圧の大きさに応じてその配列が変化する。これにより、液晶層３を通過する光の偏光が変化する。このような偏光の変化は、表示板１００、２００に付着された偏光子（図示せず）によって光の透過率変化として示される。
【００４３】
１水平周期（または１Ｈ）（水平同期信号（Ｈｓｙｎｃ）の一周期）が経過すると、データ駆動部５００及びゲート駆動部４００は、次行の画素に対して同じ動作を繰り返す。このような方法で、１フレーム期間の間に全てのゲート線（Ｇ1-Ｇn）に対して順次にゲートオン電圧（Ｖｏｎ）を印加して全ての画素にデータ電圧を印加する。
データ駆動部５００に印加される反転信号(ＲＶＳ）は、所定のフレーム単位で各画素に印加されるデータ電圧の極性が直前のデータ電圧の極性と逆になるようにその状態を制御される（フレーム反転）。反転信号（ＲＶＳ）の特性に応じて、１フレーム期間内に一つのデータ線を通じて流れるデータ電圧の極性が変わったり（行反転、ドット反転）、一つの画素行に印加されるデータ電圧の極性も互いに異なることがある（列反転、ドット反転）。
【００４４】
このような液晶表示装置の表示動作は、約１２０Ｈｚのフレーム周波数を基準として行われる。
＜フレーム周波数１２０Ｈｚでの液晶の充電時間を増加させる駆動方法＞
以下より、フレーム周波数を約６０Ｈｚから２倍の約１２０Ｈｚに高くした場合の、液晶の充電時間を増加させる駆動方法について、図３乃至図５を参照して説明する。
【００４５】
図３は、本発明の一実施例による液晶表示装置が１ドット反転（１×１ドット反転）である場合における、フレーム毎に変化する極性状態を示した図である。図４Ａ及び図４Ｂは、本発明の他の実施例に係る液晶表示装置が２ドット反転（２×１ドット反転）である場合における、フレーム毎に変化する極性状態を示した図である。
図３乃至図４Ｂに示すように、ゲート線（Ｇ1-Ｇn）に連結された画素電極１９０に印加されるデータ電圧の極性は、２フレームの間に同一極性を維持した後、反転する。即ち、２フレーム単位でデータ電圧の極性は反転し、該当するデータ線を通じて該当画素に印加される。即ち、２フレーム反転である。
【００４６】
約１２０Ｈｚのフレーム周波数を有する場合の液晶の充電時間は、約６０Ｈｚのフレーム周波数の場合の半分に減る。そこで、２フレーム期間の間は同一極性のデータ電圧を印加することにより、約１２０Ｈｚのフレーム周波数のように高い周波数であっても、液晶キャパシタは充電する期間が２フレームとなるため、データ電圧は目標の電圧に到達できる。即ち、減少した液晶キャパシタの充電時間が補償される。
【００４７】
具体的には、フレームが変わる度にデータ電圧の極性を反転させる場合では、１フレーム毎にデータ電圧は反対極性の目標電圧に到達しなければならないため、データ電圧が目標電圧に到達するまでの時間がかかってしまう。しかしながら、２フレーム反転のように、連続する２フレームの間に同一極性のデータ電圧が印加される場合では、直前フレームと反対極性を有するフレームでは液晶の充電時間が減少するが、その次のフレームでは同一極性のデータ電圧が印加される。そのため、データ電圧が目標電圧に到達するまでの時間が減り、減少した液晶キャパシタの充電時間を補償することができる。
【００４８】
このように、２フレーム反転によって液晶キャパシタの充電時間を補償する方法を用いても、ゲートオン電圧（Ｖｏｎ）の遅延等により充分な充電時間が確保されない場合がある。本実施形態では、これを補償するために、画素に該当する正常なデータ電圧が印加される前に予備充電を行う。
＜予備充電＞
次に、図５及び図６を用いて予備充電について説明する。まず、図５を参照して本発明の一実施例に係る液晶表示装置の画素の予備充電動作について説明する。
【００４９】
図５は、本発明の一実施例による液晶表示装置が、１ドット反転であるときに用いられる様々な信号の波形図である。図５の波形図には、垂直同期信号（Ｖｓｙｎｃ）、垂直同期開始信号（ＳＴＶ）及びゲート信号（ｇ1、ｇ2、…、ｇn）が示されている。
図５で、直前フレームと反対の極性を有するフレームにおいて、ゲート線（Ｇ1-Ｇn）に出力されるゲートオン電圧（Ｖｏｎ）は、一つの予備充電ゲートオン電圧（Ｖｏｎ１）と一つの本充電ゲートオン電圧（Ｖｏｎ２）とを含む。
【００５０】
本充電ゲートオン電圧（Ｖｏｎ２）は、予備充電ゲートオン電圧（Ｖｏｎ１）が出力された後に、定められた水平周期で出力される。例えば１×１ドット反転の場合、本充電ゲートオン電圧（Ｖｏｎ２）は、予備充電ゲートオン電圧（Ｖｏｎ１）の立ち上がりから水平同期信号（Ｈｓｙｎｃ）の２周期（２Ｈ）経過後や、定められたゲート線数、例えば二つのゲート線分ほど差を置いて出力される。ここで、水平同期信号（Ｈｓｙｎｃ）の１周期（１Ｈ）は、予備充電ゲートオン電圧（Ｖｏｎ１）及び本充電ゲートオン電圧（Ｖｏｎ２）のＨｉｇｈ期間の幅に相当する。尚、予備充電ゲートオン電圧（Ｖｏｎ１）と本充電ゲートオン電圧（Ｖｏｎ２）の出力間隔は、画素電極電圧の変化などを考慮して調節することができる。
【００５１】
この時、垂直同期開始信号（ＳＴＶ）は、予備充電ゲートオン電圧（Ｖｏｎ１）を出力するための予備充電ゲートオン電圧用パルス（Ｐ１）と、本充電ゲートオン電圧（Ｖｏｎ２）を出力するための本充電ゲートオン電圧用パルス（Ｐ２）とを含む。直前の予備充電ゲートオン電圧用パルス（Ｐ１）及び後続の本充電ゲートオン電圧用パルス（Ｐ２）の生成間隔は、予備充電ゲートオン電圧（Ｖｏｎ１）及び本充電ゲートオン電圧（Ｖｏｎ２）の出力間隔と同じである。即ち、予備充電ゲートオン電圧用パルス（Ｐ１）の出力及び本充電ゲートオン電圧用パルス（Ｐ２）の出力タイミングに同期して、予備充電ゲートオン電圧（Ｖｏｎ１）及び本充電ゲートオン電圧（Ｖｏｎ２）が出力される。
【００５２】
一方、直前フレームと同一の極性を有するフレームでは、ゲート線（Ｇ1-Ｇn）に出力されるゲートオン電圧（Ｖｏｎ）は、本充電ゲートオン電圧（Ｖｏｎ２）のみを含む。この時、本充電ゲートオン電圧（Ｖｏｎ２）が出力されるタイミングは、直前フレームで本充電ゲートオン電圧（Ｖｏｎ２）が出力されるタイミングと同じである。即ち、垂直同期開始信号（ＳＴＶ）は、該フレーム内では、本充電ゲートオン電圧（Ｖｏｎ２）を出力するための本充電ゲートオン電圧用パルス（Ｐ２）のみを含む。本充電ゲートオン電圧用パルス（Ｐ２）が出力されるタイミングで、本充電ゲートオン電圧（Ｖｏｎ２）が出力される。
【００５３】
次に、上述したゲートオン電圧及び垂直同期開始信号が上述したようなタイミングで出力される液晶表示装置の予備充電の動作について、より詳細に説明する。
まず、垂直同期信号（Ｖｓｙｎｃ）によって第１のフレームが開始されると、信号制御部６００は、予備充電ゲートオン電圧用パルス（Ｐ１）を有する垂直同期開始信号（ＳＴＶ）を生成し、ゲート駆動部４００に印加する。
【００５４】
垂直同期開始信号（ＳＴＶ）のパルス（Ｐ１）が印加されたゲート駆動部４００は、第１のゲート線（Ｇ1）から順次に予備充電ゲートオン電圧（Ｖｏｎ１）を出力する。
予備充電ゲートオン電圧（Ｖｏｎ１）によりスイッチング素子（Ｑ）がオンすると、第１のゲート線（Ｇ1）から順次にスイッチング素子（Ｑ）を通じてゲート線に接続された画素電極１９０は、該当するデータ線（Ｄ1-Ｄm）を経てデータ電圧の印加を受ける。これにより、該当画素が予備充電される。
【００５５】
予備充電ゲートオン電圧用パルス（Ｐ１）の立ち上がりから水平同期信号（Ｈｓｙｎｃ）の２周期（２Ｈ）が経過すると、信号制御部６００は、本充電ゲートオン電圧用パルス（Ｐ２）を有する垂直同期開始信号（ＳＴＶ）を生成する。
この正常ゲートオン電圧用パルス（Ｐ２）により、ゲート駆動部４００は、第１のゲート線（Ｇ1）から順次に本充電ゲートオン電圧（Ｖｏｎ２）を出力する。これにより、第１のゲート線（Ｇ1）に対応する画素電極１９０から順次に、データ電圧が印加される。
【００５６】
このように、水平同期信号（Ｈｓｙｎｃ）の２周期（２Ｈ）の間隔で予備充電ゲートオン電圧（Ｖｏｎ１）及び本充電ゲートオン電圧（Ｖｏｎ２）が出力されることによって、第１のゲート線（Ｇ1）に本充電ゲートオン電圧（Ｖｏｎ２）が出力されると同時に、第３のゲート線（Ｇ3）には予備充電ゲートオン電圧（Ｖｏｎ１）が出力される。その結果、第３のゲート線（Ｇ3）に接続された画素電極１９０には、第１のゲート線（Ｇ1）に接続されている画素電極１９０に印加されるデータ電圧が同時に印加される。
【００５７】
即ち、第１のゲート線（Ｇ1）及び第２のゲート線（Ｇ2）に接続された画素電極１９０は、信号制御部６００の内部メモリ（図示せず）などに記憶されている既に定められた値のデータ電圧をデータ駆動部５００から受けて、予備充電される。しかしながら、第３のゲート線(Ｇ3）以降に接続された画素電極１９０は、水平同期信号（Ｈｓｙｎｃ）の２周期（２Ｈ）以前のゲート線、即ち２つ前のゲート線に接続されている画素電極１９０に印加されたデータ電圧で予備充電される。
【００５８】
次に、垂直同期信号（Ｖｓｙｎｃ）によって第２のフレームが開始されると、信号制御部６００は、本充電ゲートオン電圧用パルス（Ｐ２）を有する垂直同期開始信号（ＳＴＶ）を生成し、ゲート駆動部４００に印加する。既に説明したように、本充電ゲートオン電圧用パルス（Ｐ２）の出力タイミングは、第１のフレームで本充電ゲートオン電圧用パルス（Ｐ２）が出力されたタイミングと同じである。
【００５９】
垂直同期開始信号（ＳＴＶ）のパルス（Ｐ２）が印加されたゲート駆動部４００は、第１のゲート線（Ｇ1）から順次に本充電ゲートオン電圧（Ｖｏｎ２）を出力する。これにより、第１のゲート線（Ｇ1）から順次にゲート線に接続された画素電極１９０には、該当するデータ電圧が順次に印加される。
このように、第２のフレームにおいて該当するデータ電圧が全ての画素電極１９０に順次に印加された後、垂直同期信号（Ｖｓｙｎｃ）により第３のフレームが開始される。すると、第１のフレームにおける駆動方法と同様な方法で、各ゲート線（Ｇ1-Ｇn）に接続された画素電極１９０の予備充電動作及び本充電動作が行われる。
【００６０】
このように、データ電圧が直前フレームと反転の極性を有するフレームの場合には、全てのゲート線（Ｇ1-Ｇn）に接続された画素電極１９０は、本データ充電以外に予備充電が実施される。このような予備充電を行うことで、印加されるデータ電圧の極性が反転することにより液晶キャパシタが目標電圧に至るまでの時間が遅延されることを補償する。
＜予備充電の動作＞
次に、図６を参照して、本発明の他の実施例による液晶表示装置における画素の予備充電の動作について説明する。
【００６１】
図６は、本発明の他の実施例による液晶表示装置が２ドット反転（２×１）であるときに用いられる多様々な信号の波形図である。図６では、図５と同様に、垂直同期信号（Ｖｓｙｎｃ）、垂直同期開始信号（ＳＴＶ）及びゲート信号（ｇ1、ｇ2、…、ｇn）を示している。
図６のゲートオン電圧（Ｖｏｎ）は、図５のように、データ電圧の極性が直前フレームに対して反転するフレームにおいて、一つの予備充電ゲートオン電圧（Ｖｏｎ１）と一つの本充電ゲートオン電圧（Ｖｏｎ２）とを含む。更に、このフレーム内では、垂直同期開始信号（ＳＴＶ）もまた、一つの予備充電ゲートオン電圧用パルス（Ｐ１）と一つの本充電ゲートオン電圧用パルス（Ｐ２）とを含む。直前フレームと同一極性のデータ電圧が印加されるフレームでは、ゲートオン電圧（Ｖｏｎ）は本充電ゲートオン電圧（Ｖｏｎ２）のみを含む。このフレーム内では、垂直同期開始信号（ＳＴＶ）もまた、一つの本充電ゲートオン電圧用パルス（Ｐ２）のみを含む。ところが、同一極性のデータ電圧で該当画素電極１９０を予備充電させるために、予備充電ゲートオン電圧用パルス（Ｐ１）と本充電ゲートオン電圧用パルス（Ｐ２）との出力タイミングが異なる。これらのパルスＰ１、Ｐ２に基づいて、予備充電ゲートオン電圧（Ｖｏｎ１）と本充電ゲートオン電圧（Ｖｏｎ２）との出力タイミングも異なる。
【００６２】
既に説明したように、液晶表示装置が２×１ドット反転駆動されるので、予備充電用に予備充電ゲートオン電圧用パルス（Ｐ１）が出力された後、予備充電ゲートオン電圧用パルス（Ｐ１）の立ち上がりから水平同期信号（Ｈｓｙｎｃ）の４周期（４Ｈ）や、４本のゲート線分ほど差を置いて本充電ゲートオン電圧用パルス（Ｐ２）が出力される。これらのパルスＰ１、Ｐ２の出力間隔に関しても、画素電極電圧の変化などに応じて調節することができる。この場合、ゲートオン電圧（Ｖｏｎ１、Ｖｏｎ２）の出力タイミングは、垂直同期開始信号（ＳＴＶ）のパルスＰ１、Ｐ２に基づいているため、これらの予備充電ゲートオン電圧（Ｖｏｎ１）と本充電ゲートオン電圧（Ｖｏｎ２）との出力間隔も、垂直同期開始信号（ＳＴＶ）のパルスＰ１、Ｐ２の出力間隔と同一である。
【００６３】
このように、水平同期信号（Ｈｓｙｎｃ）の４周期（４Ｈ）の間隔で予備充電ゲートオン電圧（Ｖｏｎ１）と本充電ゲートオン電圧（Ｖｏｎ２）とが出力されることによって、第１のゲート線（Ｇ1）に本充電ゲートオン電圧（Ｖｏｎ２）が出力されるとき、第５のゲート線（Ｇ5）には予備充電ゲートオン電圧（Ｖｏｎ１）が出力される。その結果、第５のゲート線（Ｇ5）に接続された画素電極１９０には、第１のゲート線（Ｇ1）に接続された画素電極１９０に印加されるデータ電圧が同時に印加される。
【００６４】
即ち、第１のゲート線（Ｇ1）から第４のゲート線（Ｇ4）に接続された画素電極１９０には、信号制御部６００の内部メモリ（図示せず）などに記憶されている既に定められた値のデータ電圧がデータ駆動部５００から伝達されて予備充電される。しかしながら、第５のゲート線（Ｇ5）以降に接続された画素電極１９０は、水平同期信号（Ｈｓｙｎｃ）の４周期（４Ｈ）以前のゲート線、即ち４本のゲート線以前のゲート線に接続された画素電極１９０に印加されるデータ電圧で予備充電される。
【００６５】
このように、データ電圧の極性が直前フレームから変化するフレームの場合、全てのゲート線（Ｇ1-Ｇn）に接続された画素電極１９０は、本充電以外に予備充電が行われる。このような予備充電を行うことで、印加されるデータ電圧の極性が反転することによって液晶キャパシタが目標電圧に至るまでの時間が遅延されることを補償することができる。
＜フレーム周波数１２０Ｈｚの利点＞
次に、図７、図８を参照して、液晶表示装置のフレーム周波数を約６０Ｈｚから約１２０Ｈｚに早めた場合の利点について説明する。
【００６６】
図７は、フレーム周波数が１２０Ｈｚである場合の時間による輝度の変化量を示したグラフである。図８は、フレーム周波数が６０Ｈｚである場合の時間による輝度の変化量を示したグラフである。
図７によると、１フレームの時間は図８の場合と比べて約１/２程度に減少している。従って図７に係る液晶表示装置の輝度（ｂ）が目標輝度（ａ）に到達する時間は、図８の液晶の輝度（ｄ）が目標輝度（ｃ）に到達する時間よりも短縮されている。ここで、図７の目標輝度（ａ）と図８の目標輝度（ｃ）とは同一である。
【００６７】
即ち、図７及び図８に示されるように、目標輝度にするためにデータ電圧が該当画素電極に印加される場合、液晶表示装置の輝度の変化率は、時間が経過するほど減少している。
フレーム周波数が増加するほど１フレームの維持時間が減少するため、図８では、時間が経過することによって目標輝度（ｃ）への輝度変化率が減少し、液晶表示装置の輝度（ｄ）が目標輝度（ｃ）に到達するためにかかる時間は、図７の場合よりも長くなる。また、図８では、フレーム毎の維持時間が短くなるので、フレーム反転の際にもフリッカー現象が減少する。
【００６８】
本発明の実施例では、奇数番目フレームに対して予備充電及び本充電が実施され、偶数番目フレームに対しては本充電のみが実施されるが、これに制限されない。逆に、奇数番目フレームに対して本充電のみが実施され、偶数番目フレームに対して予備充電及び本充電が実施されても良い。
また、本発明の実施例では、液晶表示装置の極性が１×１反転、または２×１反転であり、２フレーム反転のケースについて説明したが、この他にドット反転やフレーム反転にも適用できる。例えば、Ｎ行反転またはＮ×Ｍ反転であるとき、直前フレームとデータ電圧の極性が反転するフレームにおいては、本充電ゲートオン電圧が出力された後、予備充電ゲートオン電圧が出力されるゲート線は、２Ｎ+１番目のゲート線となる（ここで、ＮとＭは１、２、３…）。
【００６９】
また、本発明の実施例で、予備充電ゲートオン電圧の個数が一つであるケースについて説明したが、これに限定されない。複数個の予備充電ゲートオン電圧が出力されてもよい。この時、予備充電ゲートオン電圧及び本充電ゲートオン電圧が出力される際に、該当画素電極１９０に印加されるデータ電圧の極性は互いに同一であることが要求される。よって、複数の予備充電ゲートオン電圧間の間隔は、偶数個の水平周期分或いはゲート線分ほどの差がある。
【００７０】
また、本発明では、データ電圧の極性が少なくとも２フレーム毎に反転することを特徴としているが、特に、データ電圧の極性は偶数番目のフレーム毎に反対であり、奇数番目のフレーム毎に反対であってもよい。これは即ち、２フレーム毎に反転する場合を示す。更に言い換えると、本発明は、所定フレーム毎に反転していればよく、その一つの例として所定フレームは“２”であることができる。
【００７１】
上述した本発明によって、フレーム周波数を約１２０Ｈｚに増加させて表示装置を駆動しても、液晶キャパシタは充電する期間が２フレームとなるため、データ電圧は目標の電圧に到達できる。即ち、減少した液晶キャパシタの充電時間が補償される。従って、液晶の充電時間の不足による画質低下が低減され、さらにフリッカーなどの現象が減少する。
また、上述した発明では、データ電圧の極性が直前フレームの極性と反転するフレームにおいて、本充電の前に予備充電を行う。これにより、印加されるデータ電圧の極性が反転することで液晶キャパシタが目標電圧に至るまでの時間が遅延されることを補償する。従って、充電時間の不足による画質悪化が低減される。
【００７２】
以上、本発明の好ましい実施例について詳細に説明したが、本発明の権利範囲はこれに限定されず、特許請求の範囲で定義している本発明の基本概念を利用した当業者による様々な変形及び改良形態も本発明の権利範囲に属するものである。
【図面の簡単な説明】
【００７３】
【図１】本発明の一実施例による液晶表示装置のブロック図である。
【図２】本発明の一実施例による液晶表示装置の一つの画素に対する等価回路図。
【図３】本発明の一実施例による液晶表示装置が１ドット反転であるとき、フレーム毎に変化する極性状態を示したものである。
【図４Ａ】本発明の他の実施例による液晶表示装置が２ドット反転であるとき、フレーム毎に変化する極性状態を示したものである。
【図４Ｂ】本発明の他の実施例による液晶表示装置が２ドット反転であるとき、フレーム毎に変化する極性状態を示したものである。
【図５】図３に示される液晶表示装置で用いられる様々な信号の波形図である。
【図６】図４Ａ及び図４Ｂに示される液晶表示装置で用いられる様々な信号の波形図である。
【図７】フレーム周波数が１２０Ｈｚである場合の時間による輝度の変化量を示したグラフである。
【図８】フレーム周波数が６０Ｈｚである場合の時間による輝度の変化量を示したグラフである。
【符号の説明】
【００７４】
１００、２００  表示板
１９０  画素電極
２３０  カラーフィルタ
２７０  共通電極
３００  液晶表示板組立体
４００  ゲート駆動部
５００  データ駆動部
６００  信号制御部
８００  階調電圧生成部
Ｇ1-Ｇn  ゲート線
Ｄ1-Ｄm  データ線
ｇ1、ｇ2、…、ｇn  ゲート信号
Ｖｏｎ１  予備充電ゲートオン電圧
Ｖｏｎ２  正常ゲートオン電圧
Ｐ１  予備充電ゲートオン電圧用パルス
Ｐ２  正常ゲートオン電圧用パルス
【図１】
2006171742.tif 000003
【図２】
2006171742.tif 000004
【図３】
2006171742.tif 000005
【図４Ａ】
2006171742.tif 000006
【図４Ｂ】
2006171742.tif 000007
【図５】
2006171742.tif 000008
【図６】
2006171742.tif 000009
【図７】
2006171742.tif 000010
【図８】
2006171742.tif 000011